(57)【特許請求の範囲】
【請求項１】
表示装置が有する表示画面の少なくとも一部を撮像可能な撮像部と、
前記撮像部の撮像により得られた撮像画像を表示可能な表示部と、
前記表示装置から、前記表示画面のサイズを特定可能な特定情報を受信する受信部と、
前記表示画面の一辺が前記撮像画像に含まれる場合に、受信した前記特定情報により特定される前記表示画面のサイズと、前記撮像部の画角と、前記撮像画像内における前記表示画面の一辺の長さと当該撮像画像の一辺の長さとの比と、を用いて、前記表示画面から自装置までの距離を算出して当該距離を前記表示画面の画質調整を行なわせるための調整情報として前記表示装置に送信する送信部と、
を備えた携帯端末装置。
【請求項２】
表示装置が有する表示画面の少なくとも一部を撮像可能な撮像部と、前記撮像部の撮像により得られた撮像画像を表示可能な表示部と、を備えた携帯端末装置において実行される表示制御方法であって、
前記表示装置から、前記表示画面のサイズを特定可能な特定情報を受信し、
前記表示画面の一辺が前記撮像画像に含まれる場合に、受信した前記特定情報により特定される前記表示画面のサイズと、前記撮像部の画角と、前記撮像画像内における前記表示画面の一辺の長さと当該撮像画像の一辺の長さとの比と、を用いて、前記表示画面から自装置までの距離を算出して当該距離を前記表示画面の画質調整を行なわせるための調整情報として前記表示装置に送信する、
ことを含む表示制御方法。
【請求項３】
表示装置が有する表示画面の少なくとも一部を撮像可能な撮像部と、前記撮像部の撮像により得られた撮像画像を表示可能な表示部と、を備えた携帯端末装置を制御するコンピュータを、
前記表示装置から、前記表示画面のサイズを特定可能な特定情報を受信する受信部と、
前記表示画面の一辺が前記撮像画像に含まれる場合に、受信した前記特定情報により特定される前記表示画面のサイズと、前記撮像部の画角と、前記撮像画像内における前記表示画面の一辺の長さと当該撮像画像の一辺の長さとの比と、を用いて、前記表示画面から自装置までの距離を算出して当該距離を前記表示画面の画質調整を行なわせるための調整情報として前記表示装置に送信する送信部と、
として機能させるためのプログラム。
【発明の詳細な説明】
【技術分野】
【０００１】
本発明の実施形態は、携帯端末装置、表示制御方法およびプログラムに関する。
【背景技術】
【０００２】
テレビジョン等の表示装置を視聴する視聴者の位置である視聴者位置（例えば、表示装置から視聴者までの距離）を検出し、検出した視聴者位置に応じて、表示装置に表示された画像の画質パラメータや表示装置に立体画像を表示する際のパラメータ（例えば、奥行情報など）を最適化する技術が開示されている。視聴者位置を検出する方法としては、例えば、赤外線センサ等の距離センサを用いて視聴者位置を検出する方法、表示装置に設けたカメラにより視聴者の顔を撮像するとともに撮像した顔の画像に含まれる視聴者の眼間距離に基づいて視聴者位置を検出する方法等が開示されている。
【先行技術文献】
【特許文献】
【０００３】
【特許文献１】特開２０１０−６０６３８号公報
【発明の概要】
【発明が解決しようとする課題】
【０００４】
ところで、赤外線センサ等の距離センサや表示装置に設けたカメラを用いずに、タブレット端末やスマートフォン等の携帯端末装置が備える撮像部の撮像により得られた撮像画像を用いて視聴者位置を算出し、算出した視聴者位置に基づいて表示装置に表示された画像の画質を調整する方法が求められている。【０００５】
本発明は、上記に鑑みてなされたものであって、距離センサやカメラを設けることによる、テレビジョンの筐体およびリモートコントローラを含むテレビセットのコストアップやテレビジョンの筐体のデザインの制約を受けることなく、視聴者位置を取得しかつ取得した視聴者位置に基づいて表示装置に表示された画像の画質の調整を可能にする携帯端末装置、表示制御方法およびプログラムを提供することを目的とする。
【課題を解決するための手段】
【０００６】  実施形態の携帯端末装置は、撮像部と、表示部と、受信部と、送信部と、を備える。撮像部は、表示装置が有する表示画面の少なくとも一部を撮像可能である。表示部は、撮像部の撮像により得られた撮像画像を表示可能である。受信部は、表示装置から、表示画面のサイズを特定可能な特定情報を受信する。送信部は、表示画面の一辺が撮像画像に含まれる場合に、受信した特定情報により特定される表示画面のサイズと、撮像部の画角と、撮像画像内における表示画面の一辺の長さと当該撮像画像の一辺の長さとの比と、を用いて、表示画面から自装置までの距離を算出して当該距離を表示画面の画質調整を行なわせるための調整情報を表示装置に送信する。
【図面の簡単な説明】
【０００７】
【図１】図１は、第１の実施形態にかかるテレビジョン放送表示装置の一例を示す外観斜視図である。
【図２】図２は、第１の本実施形態にかかる携帯端末装置のハードウェア構成例を示す図である。
【図３】図３は、第１の実施形態にかかる携帯端末装置の機能構成を示すブロック図である。
【図４】図４は、第１の実施形態にかかる携帯端末装置における視聴距離の算出処理の流れを示すフローチャートである。
【図５】図５は、第１の実施形態にかかる携帯端末装置による視聴距離の算出処理を説明するための図である。
【図６】図６は、第２の実施形態にかかる携帯端末装置の機能構成を示すブロック図である。
【図７】図７は、第２の実施形態にかかる携帯端末装置による調整情報の送信処理の流れを示すフローチャートである。
【図８】図８は、テストチャートが表示された表示画面を撮像して得られた撮像画像の一例を示す図である。
【図９】図９は、第３の実施形態にかかる携帯端末装置の機能構成を示すブロック図である。
【図１０】図１０は、第３の実施形態にかかる携帯端末装置による調整情報の送信処理の流れを示すフローチャートである。
【図１１】図１１は、変形例にかかる携帯端末装置による視聴位置を取得する処理を説明するための図である。
【発明を実施するための形態】
【０００８】
（第１の実施形態）
図１は、第１の実施形態にかかるテレビジョン放送表示装置の一例を示す外観斜視図である。図１に示すように、テレビジョン放送表示装置１は、ＬＣＤ（Liquid  Crystal  Display）等で構成され、支持部１０３により支持され正面視で長方形状の外観を有する筐体１０１と、静止画や動画等の各種情報を表示可能な表示画面Ｇと、を備えている。本実施形態では、テレビジョン放送表示装置１は、表示画面Ｇを有する表示装置の一例である。
【０００９】
図２は、第１の本実施形態にかかる携帯端末装置のハードウェア構成例を示す図である。図１および図２に示すように、本実施形態にかかる携帯端末装置２は、表示部２１と、入力部２２と、加速度センサ２３と、撮像部２４と、通信部２５と、記憶部２６と、制御部２７とを備える。また、図示しないが、携帯端末装置２は、スピーカやマイクロフォン等も備えるものとする。
【００１０】
表示部２１は、例えばＬＣＤや有機ＥＬ（Electro  Luminescence）ディスプレイ等で構成され、撮像部２４の撮像により得られた撮像画像を表示可能な表示デバイスである。表示部２１は、制御部２７による制御の下、各種の情報を表示する。
【００１１】
入力部２２は、例えばポインティングデバイスやボタン等で構成され、ユーザから各種指示や情報入力を受け付ける。なお、本実施形態では、入力部２２は、ポインティングデバイスとして、表示部２１の画面上に配置された透明の座標検出装置を備えたタッチパネルを用いるものとするが、これに限らないものとする。
【００１２】
加速度センサ２３は、自装置の加速度をセンシングするセンシング機器である。例えば、加速度センサ２３は、３軸方向における自装置の姿勢の変化（傾斜や回転）を、センシング結果として出力する。
【００１３】
撮像部２４は、テレビジョン放送表示装置１が備える表示画面Ｇの前方から、当該表示画面Ｇの少なくとも一部を撮像可能である。
【００１４】
通信部２５は、インターネットなどのネットワーク（図示せず）に接続可能な通信インタフェースである。通信部２５は、制御部２７による制御の下、ネットワークに接続された外部装置（例えば、テレビジョン放送表示装置１）との間で各種の情報を授受する。
【００１５】
記憶部２６は、ＲＯＭ（Read  Only  Memory）、ＨＤＤ（Hard  Disk  Drive）、ＳＳＤ（Solid  State  Drive）等の不揮発性の記憶媒体を有し、各種のプログラムや設定情報等を記憶する。
【００１６】
制御部２７は、ＣＰＵ（Central  Processing  Unit）、ＲＡＭ（Random  Access  Memory）等を有し（何れも図示せず）、記憶部２６に記憶されたプログラムと協働することで、携帯端末装置２の動作を統括的に制御する。
【００１７】
次に、図３を用いて、本実施形態にかかる携帯端末装置２の機能構成について説明する。図３は、第１の実施形態にかかる携帯端末装置の機能構成を示すブロック図である。
【００１８】
携帯端末装置２は、制御部２７が有するＣＰＵ等が、記憶部２６に記憶されたプログラム（表示制御アプリケーション）を実行することにより、図３に示すように、取得部３０１、算出部３０２および送信制御部３０３を実現する。
【００１９】
取得部３０１は、入力部２２を介して入力された、撮像部２４の画角を示す画角情報やテレビジョン放送表示装置１が有する表示画面Ｇのサイズ（当該表示画面Ｇの一辺の長さ）を示すサイズ情報等、テレビジョン放送表示装置１が有する表示画面Ｇから自装置（携帯端末装置２）までの距離（以下、視聴距離と言う）の取得に必要な情報を取得する。
【００２０】
算出部３０２は、視聴距離の算出に要する画像である算出用画像（例えば、テレビジョン放送表示装置１が有する表示画面Ｇの一辺など）が、撮像部２４の撮像により得られた撮像画像に含まれている場合に、取得部３０１により取得された（言い換えると、入力部２２から入力された）画角情報が示す画角およびサイズ情報が示す表示画面Ｇのサイズと、当該撮像画像内における表示画面Ｇの一辺の長さと当該撮像画像の一辺の長さとの比と、を用いて視聴距離を算出する。
【００２１】
送信制御部３０３は、通信部２５を介して、テレビジョン放送表示装置１が有する表示画面Ｇの画質調整を行なわせるための調整情報（本実施形態では、算出部３０２により算出された視聴距離など）をテレビジョン放送表示装置１に送信する。すなわち、本実施形態では、取得部３０１、算出部３０２および送信制御部３０３が、算出用画像が、撮像部２４の撮像により得られた撮像画像に含まれる場合に、視聴距離に基づく表示画面Ｇの画質調整を行なわせるための調整情報をテレビジョン放送表示装置１に送信する送信部として機能する。
【００２２】
次に、図３〜５を用いて、本実施形態にかかる携帯端末装置２における視聴距離の算出処理について詳細に説明する。図４は、第１の実施形態にかかる携帯端末装置における視聴距離の算出処理の流れを示すフローチャートである。図５は、第１の実施形態にかかる携帯端末装置による視聴距離の算出処理を説明するための図である。
【００２３】
テレビジョン放送表示装置１が有する表示画面Ｇの画質調整を行なわせる表示制御アプリケーションが起動すると、撮像部２４は、テレビジョン放送表示装置１が有する表示画面Ｇを撮像する（ステップＳ４０１）。本実施形態では、撮像部２４は、テレビジョン放送表示装置１全体が撮像画像に含まれるように、当該テレビジョン放送表示装置１が有する表示画面Ｇを撮像する。また、撮像部２４は、テレビジョン放送表示装置１が有する表示画面Ｇの少なくとも一部が撮像画像に含まれるように撮像しても良い。
【００２４】
撮像部２４による表示画面Ｇの撮像が開始されると、表示部２１は、撮像部２４の撮像により得られた撮像画像を表示する。これにより、携帯端末装置２のユーザは、表示部２１に表示された撮像画像を見て、撮像部２４の撮像により得られた撮像画像に、表示画面Ｇから携帯端末装置２までの視聴距離の算出に要する算出用画像が含まれているか否かを確認できるので、撮像部２４の撮像により得られる撮像画像に算出用画像が含まれるように撮像部２４の撮像領域を調整することができる。
【００２５】
次いで、取得部３０１は、携帯端末装置２のＯＳ（Operating  System）のＡＰＩ（Application  Program  Interface）を介して、撮像部２４の画角を示す画角情報を取得する（ステップＳ４０２）。例えば、携帯端末装置２のＯＳがAndroid（登録商標）である場合、取得部３０１は、携帯端末装置２のＯＳであるAndroid（登録商標）のＡＰＩに対して、Android＿APIコマンドである「public  float  get  Horizontal  View  Angle」コマンドを送信して、撮像部２４の画角を示す画角情報を取得する。
【００２６】
本実施形態では、取得部３０１は、携帯端末装置２のＯＳのＡＰＩを介して画角情報を取得しているが、これに限定するものではなく、例えば、撮像部２４の撮像により得られた撮像画像の撮像画像データに含まれるExifファイルから、撮像部２４の画角を示す画角情報を取得しても良い。または、取得部３０１は、Exifファイルから、撮像部２４の画角を特定可能な情報（例えば、３５ｍｍ判換算焦点距離）を取得し、当該取得した情報に基づいて、撮像部２４の画角を取得（算出）しても良い。
【００２７】
また、取得部３０１は、テレビジョン放送表示装置１が有する表示画面Ｇのサイズを示すサイズ情報を取得する（ステップＳ４０３）。本実施形態では、取得部３０１は、入力部２２を介してユーザにより入力された、表示画面Ｇのサイズを特定可能な特定情報（例えば、テレビジョン放送表示装置１の型番情報など）を取得する。そして、取得部３０１は、取得した特定情報を用いて、表示画面Ｇのサイズ（表示画面Ｇの縦および横それぞれの長さ（ｍｍ））を示すサイズ情報を取得する。
【００２８】
算出部３０２は、撮像部２４の撮像により得られた撮像画像から、テレビジョン放送表示装置１が有する表示画面Ｇ（当該表示画面Ｇの画像）を認識する（ステップＳ４０４）。本実施形態では、算出部３０２は、撮像部２４の撮像により得られた撮像画像に含まれるテレビジョン放送表示装置１全体の輪郭を利用して、当該撮像画像に含まれる表示画面Ｇの画像を認識（検出）する。そして、算出部３０２は、撮像画像から表示画面Ｇの画像が認識された場合、撮像画像内におけるテレビジョン放送表示装置１全体の輪郭を用いて、当該撮像画像に算出用画像（本実施形態では、表示画面Ｇ全体の画像）が含まれているか否かを判断する。本実施形態では、算出部３０２は、撮像画像に表示画面Ｇ全体の画像が含まれているか否かを判断しているが、例えば、表示画面Ｇの一辺の画像など、表示画面Ｇの縦方向（上下方向）および横方向（左右方向）の少なくともいずれか一方の長さを特定可能な画像（算出用画像の一例）が含まれている否かを判断しても良い。
【００２９】
そして、算出部３０２は、撮像画像に算出用画像が含まれていると判断した場合、取得部３０１により取得したサイズ情報が示す表示画面Ｇのサイズと、撮像部２４の撮像により得られた撮像画像内における表示画面Ｇの画像の領域（例えば、撮像画像内における表示画面Ｇの左辺、右辺、上辺および下辺の少なくともいずれか一つの画像の長さ等）と、を用いて、撮像画像の縦横距離を算出する（ステップＳ４０５）。ここで、撮像画像の縦横距離とは、撮像部２４により撮像される領域である撮像領域の縦方向（上下方向）または横方向（左右方向）の長さである。本実施形態では、算出部３０２は、撮像画像内におけるテレビジョン放送表示装置１全体の輪郭を用いて、当該撮像画像内における表示画面の画像の領域（撮像画像内における表示画面Ｇの左辺、右辺、上辺および下辺）を検出する。
【００３０】
例えば、撮像領域の横方向の長さを撮像画像の縦横距離として算出する場合、算出部３０２は、図５に示すように、撮像部２４の撮像により得られた撮像画像Ｐ内における表示画面Ｇの画像Ｔの上辺の画像の長さｌ１に対する、撮像画像Ｐの上辺の長さｌ２の比率を算出する。そして、算出部３０２は、算出した比率と、取得したサイズ情報が示す表示画面Ｇの横方向の長さと、に基づいて、撮像領域の横方向の長さを算出する。撮像領域の縦方向の長さを同様にして算出するものとする。
【００３１】
また、算出部３０２は、撮像画像に含まれる算出用画像に基づいて、撮像領域の横方向の長さおよび撮像領域の縦方向の長さのいずれかを、撮像画像の縦横距離として算出するかを決定可能である。例えば、算出部３０２は、撮像画像に含まれる算出用画像が、表示画面Ｇの縦方向の長さを特定可能な画像（表示画面Ｇの左辺または右辺の画像）である場合、撮像領域の縦方向の長さを、撮像画像の縦横距離として算出する。また、算出部３０２は、撮像画像に含まれる算出用画像が、表示画面Ｇの横方向の長さを特定可能な画像（表示画面Ｇの上辺または下辺の画像）である場合、撮像領域の横方向の長さを、撮像画像の縦横距離として算出する。さらに、算出部３０２は、撮像画像に含まれる算出用画像が、表示画面Ｇ全体の画像である場合、撮像領域の横方向の長さおよび撮像領域の縦方向の長さのうち予め設定された方向の長さを、撮像画像の縦横距離として算出する。
【００３２】
次いで、算出部３０２は、取得部３０１により取得した画角情報が示す画角と、撮像画像の縦横距離と、を用いて、テレビジョン放送表示装置１の表示画面Ｇから携帯端末装置２までの視聴距離を算出する（ステップＳ４０６）。すなわち、算出部３０２は、取得したサイズ情報が示す表示画面Ｇのサイズと、取得した画角情報が示す画角と、撮像部２４の撮像により得られた撮像画像内における表示画面Ｇの一辺の長さと当該撮像画像の一辺の長さとの比と、を用いて、視聴距離を算出する。
【００３３】
本実施形態では、算出部３０２は、図５に示すように、取得した画角情報が示す画角θおよび撮像画像の縦横距離（撮像領域の横方向の長さ）に基づいて、視聴距離Ｌを算出する。具体的には、算出部３０２は、下記の式（１）を用いて、視聴距離Ｌを算出する。
視聴距離Ｌ＝撮像画像の縦横距離／２ｔａｎ（θ／２）・・・（１）
ここで、算出部３０２は、撮像領域の横方向の長さを撮像画像の縦横距離として用いて視聴距離Ｌを算出した場合について説明したが、撮像領域の縦方向の長さを撮像画像の縦横距離として用いて視聴距離Ｌを算出する場合も同様である。
【００３４】
算出部３０２は、表示画面Ｇに向かって、当該表示画面Ｇを基準とするユーザの位置が右方向または左方向にずれていて、撮像画像に含まれる表示画面Ｇの右辺および左辺それぞれの画像長さが異なる場合（図１１参照）、撮像画像に含まれる表示画面Ｇの右辺の画像を用いて算出した視聴距離と、撮像画像に含まれる表示画面Ｇの右辺の画像を用いて算出した視聴距離との平均値を、視聴距離としても良い。すなわち、算出部３０２は、撮像画像に含まれる表示画面Ｇの右辺の長さおよび当該表示画面Ｇの左辺の長さの中間値を用いて、視聴距離を算出する。
【００３５】
算出部３０２により視聴距離が算出されると、送信制御部３０３は、算出された視聴距離を、テレビジョン放送表示装置１が有する表示画面Ｇの画質調整を行なわせるための調整情報としてテレビジョン放送表示装置１に送信する。
【００３６】
本実施形態では、送信制御部３０３は、視聴距離を調整情報としてテレビジョン放送表示装置１に送信しているが、撮像画像を用いて算出される視聴距離に基づく表示画面Ｇの画質調整を行なわせるための調整情報を送信するものであれば、これに限定するものではない。例えば、送信制御部３０３は、撮像部２４の撮像により得られた撮像画像（算出用画像を含む撮像画像）の撮像画像データを調整情報としてテレビジョン放送表示装置１（または図示しないサーバ）に送信しても良い。この場合、テレビジョン放送表示装置１（または図示しないサーバ）は、上述したステップＳ４０２〜ステップＳ４０６と同様の処理を行って、視聴距離を算出する。または、送信制御部３０３は、算出した視聴距離に基づく表示画面Ｇの画質調整の際のパラメータ（例えば、表示画面Ｇに表示する画像を高解像度化する場合における解像度など）を、調整情報としてテレビジョン放送表示装置１に送信しても良い。
【００３７】
このように、第１の実施形態の携帯端末装置２によれば、携帯端末装置２が有する撮像部２４の撮像により得られた撮像画像を用いて、当該撮像画像を用いて算出される視聴距離に基づく画質調整をテレビジョン放送表示装置１に行わせることができるので、距離センサやカメラを設けることによる、テレビジョン放送表示装置１の筐体およびリモートコントローラを含むテレビセットのコストアップやテレビジョン放送表示装置１の筐体のデザインの制約を受けることなく、視聴距離を取得しかつ取得した視聴距離に基づいて表示画面Ｇの画質調整を可能にする。また、携帯端末装置２のユーザは、表示部２１に表示された撮像画像を見て、撮像部２４の撮像により得られた撮像画像に、表示画面Ｇから携帯端末装置２までの視聴距離の算出に要する算出用画像が含まれているか否かを確認できるので、撮像部２４の撮像により得られる撮像画像に算出用画像が含まれるように撮像部２４の撮像領域を調整することができる。
【００３８】
本実施形態では、算出部３０２は、取得部３０１により取得された画角情報が示す画角を用いて視聴距離を算出しているが、視聴距離を算出する際の撮像部２４の撮像が所定の画角で行われる場合には、撮像部２４の画角を用いずに視聴距離を算出することも可能である。この場合、携帯端末装置２は、表示画面Ｇのサイズ（表示画面Ｇの一辺の長さ）と、所定の画角での撮像部２４の撮像により得られる撮像画像に含まれる表示画面Ｇの画像Ｔの一辺の画素数と、視聴距離と、を対応付けて記憶部２６に記憶させる。
【００３９】
撮像部２４は、表示制御アプリケーションが起動すると、所定の画角で表示画面Ｇの少なくとも一部を撮像する。次いで、算出部３０２は、記憶部２６において、取得部３０１により取得された表示画面Ｇの一辺の長さおよび撮像部２４の撮像により得られた撮像画像内における表示画面Ｇの一辺の画素数と対応付けて記憶された視聴距離を読み出す。そして、送信制御部３０３は、読み出された視聴距離を調整情報としてテレビジョン放送表示装置１に送信する。
【００４０】
（第２の実施形態）
本実施形態は、テレビジョン放送表示装置の表示画面に表示されたテストチャートを用いて、視聴距離を算出する例である。以下の説明では、第１の実施形態と同様の箇所については説明を省略する。
【００４１】
図６〜８を用いて、本実施形態にかかる携帯端末装置６００における調整情報の送信処理について詳細に説明する。図６は、第２の実施形態にかかる携帯端末装置の機能構成を示すブロック図である。図７は、第２の実施形態にかかる携帯端末装置による調整情報の送信処理の流れを示すフローチャートである。図８は、テストチャートが表示された表示画面を撮像して得られた撮像画像の一例を示す図である。
【００４２】
本実施形態では、送信制御部６１２は、表示制御アプリケーションが起動すると、撮像部２４による撮像に先立って、所定のテストチャート（表示画面認識用テストチャート）の表示の指示をテレビジョン放送表示装置１に送信する（ステップＳ７０１）。テレビジョン放送表示装置１は、携帯端末装置６００からテストチャートの表示の指示を受信すると、所定のテストチャートを表示画面Ｇに表示させる。
【００４３】
本実施形態では、算出部６１１は、撮像部２４の撮像により得られた撮像画像に含まれるテストチャートの画像を用いて、テレビジョン放送表示装置１が有する表示画面Ｇの画像を認識する（ステップＳ７０２）。これにより、撮像部２４の撮像により得られた撮像画像から、容易に表示画面Ｇの画像を認識することが可能となる。具体的には、算出部６１１は、図８に示すように、撮像画像２４の撮像により得られた撮像画像Ｐにおいて、当該撮像画像Ｐに含まれる複数の矩形状のテストチャートの画像ｔのうち、最も外側に配置されたテストチャートの画像ｔの内側の領域を表示画面Ｇの画像Ｔと認識する。
【００４４】
図８に示すように、撮像部２４の撮像により得られた撮像画像Ｐにテストチャートの画像ｔが含まれている場合、携帯端末装置６００は、テストチャートの画像ｔを用いて、視聴距離を算出できる。まず、取得部６１０は、表示画面Ｇに表示されたテストチャートの画素数（例えば、矩形状のテストチャートの四隅に配置された四角形の領域の画素数、矩形状のテストチャートの一辺の画素数など）、表示画面Ｇの解像度および撮像部２４の画角を示す画角情報を取得する。本実施形態では、取得部６１０は、入力部２２を介して入力された、テストチャートの画素数、表示画面Ｇの解像度および撮像部２４の画角を示す画角情報を取得するものとする。
【００４５】
次に、算出部６１１は、取得したテストチャートの画素数、表示画面Ｇの解像度および画角情報が示す画角と、撮像部２４の撮像により得られた撮像画像内におけるテストチャートの一辺の長さと当該撮像画像の一辺の長さとの比と、を用いて視聴距離を算出する。具体的には、算出部６１１は、取得したテストチャートの画素数および表示画面の解像度を用いて、表示画面Ｇに表示されたテストチャートの一辺の長さ（例えば、矩形状のテストチャートの四隅に配置された四角形の領域の一辺の長さ、または矩形状のテストチャートの一辺の長さ）を算出する。
【００４６】
次いで、算出部６１１は、算出したテストチャートのサイズと、撮像部２４の撮像により得られた撮像画像内におけるテストチャートの一辺の長さと当該撮像画像の一辺の長さとの比と、から撮像画像の縦横距離を算出する。例えば、算出部６１１は、図８に示すように、撮像部２４の撮像により得られた撮像画像Ｐ内におけるテストチャートの画像ｔのサイズ（例えば、矩形状のテストチャートの四隅に配置された四角形の画像の一辺の長さｌ３）に対する、撮像画像Ｐの上辺の長さｌ２の比率を算出する。そして、算出部６１１は、算出した比率と、取得したテストチャートのサイズ（例えば、矩形状のテストチャートの四隅に配置された四角形の領域の一辺の長さ）と、に基づいて、撮像領域の横方向の長さを算出する。そして、算出部６１１は、画角情報が示す画角と、算出した撮像画像の縦横距離と、を用いて、視聴距離を算出する。送信制御部６１２は、算出された視聴距離を、テレビジョン放送表示装置１が有する表示画面Ｇの画質調整を行なわせるための調整情報としてテレビジョン放送表示装置１に送信する（ステップＳ７０３）。
【００４７】
このように、第２の実施形態の携帯端末装置６００によれば、テストチャートの画素数、表示画面Ｇの解像度および画角情報が示す画角と、撮像部２４の撮像により得られた撮像画像内におけるテストチャートの一辺の長さと当該撮像画像の一辺の長さの比と、を用いて視聴距離を算出することにより、撮像画像内にテストチャートが含まれていれば、視聴距離を算出することができるので、撮像部２４の画角が小さく、表示画面Ｇの縦方向または横方向への長さを特定可能な算出用画像を含む撮像画像を得ることができない場合においても視聴距離を算出することができる。
【００４８】
（第３の実施形態）
本実施形態は、テレビジョン放送表示装置が有する表示画面のサイズを特定可能な特定情報を当該テレビジョン放送表示装置から受信し、受信した特定情報を用いて、表示画面のサイズを取得する例である。以下の説明では、第２の実施形態と同様の箇所については説明を省略する。
【００４９】
図９および図１０を用いて、本実施形態にかかる携帯端末装置９００における調整情報の送信処理について説明する。図９は、第３の実施形態にかかる携帯端末装置の機能構成を示すブロック図である。図１０は、第３の実施形態にかかる携帯端末装置による調整情報の送信処理の流れを示すフローチャートである。
【００５０】
本実施形態では、送信制御部９０２は、アプリケーションソフトウェアによる機能（以下、ＡＰＰＳ機能と言う）やＵＳＢ（Universal  Serial  Bus）等の通信機能を用いて、所定のテストチャートの表示の指示をテレビジョン放送表示装置１に送信する（ステップＳ１００１）。
【００５１】
また、本実施形態では、取得部９０１は、ＡＰＰＳ機能やＵＳＢなどの通信機能を用いて、テレビジョン放送表示装置１から、当該テレビジョン放送表示装置１が有する表示画面Ｇのサイズを特定可能な特定情報（例えば、テレビジョン放送表示装置１の型番情報など）を受信する。そして、取得部９０１は、受信した特定情報を用いて、表示画面Ｇのサイズを示すサイズ情報を取得する（ステップＳ１００２）。
【００５２】
このように、第３の実施形態の携帯端末装置９００によれば、通信機能を用いて、テレビジョン放送表示装置１から特定情報を受信し、受信した特定情報を用いて表示画面Ｇのサイズを取得することにより、表示画面Ｇのサイズが自動的に取得され、携帯端末装置９００のユーザは撮像部２４により表示画面Ｇを撮像するだけで視聴距離が算出されるので、携帯端末装置９００の利便性を向上させることができる。
【００５３】
（変形例）
本変形例は、撮像部の撮像により得られた撮像画像に含まれる表示画面の画像の形状に従って、表示画面に向かって、表示画面を基準とするユーザ（視聴者）の横方向（左右方向）および縦方向（上下方向）の少なくともいずれか一方の位置である視聴位置を取得する例である。以下の説明では、上述の実施形態と同様の箇所については説明を省略する。
【００５４】
本変形例では、算出部３０２は、取得部３０１により取得されたサイズ情報が示す表示画面Ｇの縦方向の長さと当該表示画面Ｇの横方向の長さとの比率（以下、第１比率と言う）を算出する。また、算出部３０２は、撮像画像から表示画面Ｇの画像が認識された場合、表示画面Ｇの画像の縦方向の長さと当該表示画面Ｇの画像の横方向の長さとの比率（以下、第２比率と言う）を算出する。そして、算出部３０２は、第１比率および第２比率に基づいて、表示画面Ｇに向かって、当該表示画面Ｇを基準とする視聴者の左右方向および上下方向の位置である視聴位置を取得する。
【００５５】
また、算出部３０２は、撮像画像から認識された表示画面Ｇの画像の右辺および左辺それぞれの長さに基づいて、表示画面Ｇに向かって、当該表示画面Ｇを基準とする視聴者の左右方向の位置である視聴を取得しても良い。算出部３０２は、撮像画像から認識された表示画面Ｇの画像の上辺および下辺それぞれの長さに基づいて、表示画面Ｇに向かって、当該表示画面Ｇを基準とする視聴者の上下方向の位置である視聴を取得しても良い。
【００５６】
図１１は、変形例にかかる携帯端末装置による視聴位置を取得する処理を説明するための図である。例えば、算出部３０２は、図１１に示すように、撮像画像から認識された表示画面Ｇの画像Ｔの左辺の長さより、当該表示画面Ｇの画像Ｔの右辺の長さが長い場合、表示画面Ｇに向かって、当該表示画面Ｇを基準とする視聴者の左右方向の位置が、右方向であることを取得する。
【００５７】
また、テレビジョン放送表示装置１の表示画面Ｇにテストチャートが表示されている場合、算出部６１１は、撮像部２４の撮像により得られた撮像画像に含まれるテストチャートの画像の形状に従って、表示画面Ｇに向かって、表示画面Ｇを基準とするユーザの左右方向および上下方向の視聴位置を取得することもできる。具体的には、算出部６１１は、図８に示すように、撮像画像Ｐに含まれる矩形状のテストチャートの画像ｔの四隅に配置された四角形の画像の大きさに従って、表示画面Ｇに向かって、表示画面Ｇを基準とするユーザの左右方向および上下方向の視聴位置を取得する。例えば、算出部６１１は、テストチャートの画像ｔの四隅に配置された四角形の画像のうち左上の四角形の画像が他の四角形の画像より大きい場合、表示画面Ｇに向かって、表示画面Ｇを基準とするユーザの視聴位置が左上であることを取得する。
【００５８】
以上説明したとおり、第１から第３の実施形態によれば、テレビジョン放送表示装置１に距離センサやカメラを設けることによる、当該テレビジョン放送表示装置１の筐体およびリモートコントローラを含むテレビセットのコストアップやテレビジョン放送表示装置１の筐体のデザインの制約を受けることなく、視聴距離を取得しかつ取得した視聴距離に基づく表示画面Ｇの画質調整が可能となる。
【００５９】
本実施形態の携帯端末装置２，６００，９００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されるようにしても良い。
【００６０】
また、本実施形態の携帯端末装置２，６００，９００で実行されるプログラムを、インターネット等のネットワークに接続されたコンピュータ上に格納し、ネットワーク経由でダウンロードさせることにより提供するように構成しても良い。また、本実施形態の携帯端末装置２，６００，９００で実行されるプログラムをインターネット等のネットワーク経由で提供または配布するように構成しても良い。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【符号の説明】
【００６２】
１…  テレビジョン放送表示装置、２，６００，９００…携帯端末装置、２１…表示部、２２…入力部、２４…撮像部、２５…通信部、２６…記憶部、２７…制御部、３０１，６１０，９０１…取得部、３０２，６１１…算出部、３０３，６１２，９０２…送信制御部、Ｇ…表示画面。
【図１】
0005861218.tif 000002
【図２】
0005861218.tif 000003
【図３】
0005861218.tif 000004
【図４】
0005861218.tif 000005
【図５】
0005861218.tif 000006
【図６】
0005861218.tif 000007
【図７】
0005861218.tif 000008
【図８】
0005861218.tif 000009
【図９】
0005861218.tif 000010
【図１０】
0005861218.tif 000011
【図１１】
0005861218.tif 000012